(57)【要約】【課題】              ＶＰＮサービスを使いたい時に低廉なコストで利用できる方式の提供。【解決手段】          ＶＰＮ装置が、ＩＰネットワークを介して接続されたユーザ端末から、ＶＰＮサービスの利用についての一時利用申込を受け付ける。ＶＰＮ装置は、この利用申込に基づいて、適宜課金処理を行い、更に、ユーザＩＤとユーザＩＤの有効期限の設定登録を行う。続いて、ＶＰＮ装置は、該ユーザ端末がＶＰＮを利用可能となるように自動設定を行う。この段階で、ユーザＩＤの入力を受け付け認証した上で、ＶＰＮ装置がＶＰＮサービスを提供できるようになる。ＶＰＮ装置は、予め定める時間間隔で、各ユーザＩＤの有効期限を検査し、有効期限の切れたユーザＩＤについて設定されている内容を解除する。【選択図】        図３
2006246359.tif 000002
【特許請求の範囲】
【請求項１】
ＶＰＮ（Ｖｉｒｔｕａｌ  Ｐｒｉｖａｔｅ  Ｎｅｔｗｏｒｋ）サービスを提供するＶＰＮ装置を用いて行うＶＰＮサービスの提供方法であって、
前記ＶＰＮ装置が、ＩＰネットワークを介して接続されたユーザ端末から、ＶＰＮサービスの利用について一時利用申込を受け付けるステップと、
前記ＶＰＮ装置が、前記利用申込に基づいて、ユーザＩＤとユーザＩＤの有効期限の設定登録を行うとともに、該ユーザ端末がＶＰＮを利用可能となるように自動設定を行うステップと、を含む設定処理工程と、
前記ＶＰＮ装置が、ユーザ端末から、少なくともユーザＩＤの入力を受け付け認証した上で、ＶＰＮサービスを提供するＶＰＮサービス提供工程と、
前記ＶＰＮ装置が、予め定める時間間隔で、各ユーザＩＤの有効期限を確認し、有効期限の切れたユーザＩＤについて前記自動設定処理工程にて行った設定を解除する設定解除工程と、を含むこと、
を特徴とする一時的なＶＰＮサービスの提供方法。
【請求項２】
前記設定処理工程において、前記ＶＰＮ装置が、２以上のユーザ数を指定した利用申込を受け付けて、対応する数のユーザＩＤを生成するとともに、一のグループとして関連付ける処理を実行し、
前記ＶＰＮサービス提供工程において、前記ＶＰＮ装置は、同一グループに属するユーザ端末と自装置間のＶＰＮトンネルを相互に接続し、エンドポイント間接続を行うこと、
を特徴とする請求項１に記載の一時的なＶＰＮサービスの提供方法。
【請求項３】
更に、前記ＶＰＮ装置が、利用申込期間に応じた課金処理を実行する課金処理工程を含むこと、
を特徴とする請求項１又は２に記載の一時的なＶＰＮサービスの提供方法。
【請求項４】
ＩＰネットワークを介して接続されたユーザ端末から、ＶＰＮサービスの利用について一時利用申込を受け付ける申込受付部と、前記利用申込に基づいて、ユーザＩＤとユーザＩＤの有効期限の設定登録を行うとともに、該ユーザ端末がＶＰＮを利用可能となるように自動設定を行う自動設定部と、を備える設定処理部と、
ユーザ端末から、少なくともユーザＩＤの入力を受け付け認証した上で、ＶＰＮサービスを提供するＶＰＮサービス提供部と、
予め定める時間間隔で、各ユーザＩＤの有効期限を確認し、有効期限の切れたユーザＩＤについて前記自動設定部が行った設定を解除する設定解除部と、を備えること、
を特徴とするＶＰＮ装置。
【請求項５】
前記自動設定部は、２以上のユーザ数を指定した利用申込について、対応する数のユーザＩＤを生成するとともに、一のグループとして関連付ける処理を実行し、
前記ＶＰＮサービス提供部は、同一グループに属するユーザ端末と自装置間のＶＰＮトンネルを相互に接続し、エンドポイント間接続を行うこと、
を特徴とする請求項４に記載のＶＰＮ装置。
【請求項６】
更に、利用申込期間に応じた課金処理を実行する課金処理部を備えること、
を特徴とする請求項４又は５に記載のＶＰＮ装置。
【請求項７】
ユーザ端末から、少なくともユーザＩＤの入力を受け付け認証した上で、ＶＰＮサービスを提供する処理と、予め定める時間間隔で、各ユーザＩＤの有効期限を確認し、有効期限の切れたユーザＩＤについて設定されている内容を解除する処理と、を実行するＶＰＮ装置に接続されたコンピュータに実行させるプログラムであって、
ＩＰネットワークを介して接続されたユーザ端末から、ＶＰＮサービスの利用について一時利用申込を受け付ける処理と、
前記利用申込に基づいて、ユーザＩＤとユーザＩＤの有効期限の設定登録を行うとともに、該ユーザ端末がＶＰＮを利用可能となるように自動設定を行う処理と、
を前記コンピュータに実行させるプログラム。
【請求項８】
請求項７に記載のプログラムにおいて、
２以上のユーザ数を指定した利用申込について、対応する数のユーザＩＤを生成するとともに、一のグループとして関連付けて記憶保持する処理を、実行すること、
を前記ＶＰＮ装置に接続されたコンピュータに実行させるプログラム。
【請求項９】
ＩＰネットワークを介して接続されたユーザ端末から、ＶＰＮサービスの利用について一時利用申込を受け付ける処理と、前記利用申込に基づいて、ユーザＩＤとユーザＩＤの有効期限の設定登録を行うとともに該ユーザ端末がＶＰＮを利用可能となるように自動設定を行う処理と、を実行するコンピュータに接続されたＶＰＮ装置を構成するコンピュータに実行させるプログラムであって、
ＩＰネットワークを介して接続されたユーザ端末から、少なくともユーザＩＤの入力を受け付け認証した上で、ＶＰＮサービスを提供する処理と、
予め定める時間間隔で、各ユーザＩＤの有効期限を確認し、有効期限の切れたユーザＩＤについて設定されている内容を解除する処理と、
を実行させるプログラム。
【請求項１０】
請求項９に記載のプログラムにおいて、
予め同一のグループに関連付けられたユーザ端末間について、各ユーザ端末と自装置間のＶＰＮトンネルを相互に接続し、エンドポイント間接続を行う処理、をＶＰＮ装置を構成するコンピュータに実行させるプログラム。
【請求項１１】
請求項４乃至６いずれか一に記載のＶＰＮ装置から受信したユーザＩＤを保持し、該ユーザＩＤを用いてＶＰＮ装置に対し自動ログインを行うこと、
を特徴とする端末装置。
【請求項１２】
少なくとも請求項４乃至６いずれか一に記載のＶＰＮ装置から受信したユーザＩＤを保持し、該ユーザＩＤを用いてＶＰＮ装置に対し自動ログインを行う処理を、前記ユーザの端末を構成するコンピュータに実行させるプログラム。
【請求項１３】
請求項４乃至６いずれか一に記載のＶＰＮ装置と、該ネットワーク環境提供サーバにアクセス可能なユーザの端末と、を含み、一時的なＶＰＮサービスの提供を行うこと、
を特徴とするＶＰＮシステム。
【発明の詳細な説明】
【技術分野】
【０００１】
本発明は、仮想プライベートネットワーク（Ｖｉｒｔｕａｌ  Ｐｒｉｖａｔｅ  Ｎｅｔｗｏｒｋ；以下、ＶＰＮ）サービスの提供方法、ＶＰＮシステム、ＶＰＮ装置、及び、プログラムに関し、特に、期限を定めてＶＰＮサービスを提供するための技術に関する。
【背景技術】
【０００２】
固有ドメインの取得や固定ＩＰアドレスの設定等のインターネットサービスプロバイダ等から提供される付加サービスが多様化する中で、自前で機器を用意せずとも、セキュリティを確保されたローコストのＷＡＮ（Ｗｉｄｅ  Ａｒｅａ  Ｎｅｔｗｏｒｋ）、イントラネット環境を構築可能とするＶＰＮサービスが広まっている。例えば、特許文献１には、ＶＰＮ技術を用いて移動端末から特定のＬＡＮ（Ｌｏｃａｌ  Ａｒｅａ  Ｎｅｔｗｏｒｋ）に接続するためのＶＰＮシステムが紹介されている。
【０００３】
【特許文献１】特開２００２−１１１７３２号公報
【発明の開示】
【発明が解決しようとする課題】
【０００４】
しかしながら、上記ＶＰＮサービスの利用は、事前にプロバイダ（ＩＳＰ）との契約、諸手続が必要であり、無線ＬＡＮホットスポットやインターネットカフェ等が広く普及しているにもかかわらず、使いたい時に使えないという不都合があった。
【０００５】
また、事実上ＶＰＮサービスを利用することが可能であったとしても、初期費用に加えて中途解約金を要求される場合があるため、一時的な利用の場合、使う期間の割りにコストが掛かってしまうという別の問題点もある。
【０００６】
本発明は、上記した事情に鑑みてなされたものであって、ＶＰＮサービスを、使いたい時に、低廉なコストで利用できるようにしたＶＰＮサービスの提供方法、ＶＰＮシステム、ＶＰＮ装置、及び、プログラムを提供することを目的とする。
【課題を解決するための手段】
【０００７】
本発明の第１の視点によれば、ＶＰＮサービスを提供するＶＰＮ装置を用いて行うＶＰＮサービスの提供方法であって、ＶＰＮサービスの利用申込を受け付け、即時にＶＰＮを利用可能とするＶＰＮサービスの提供方法が提供される。この方法によれば、まずＶＰＮ装置が、ＩＰネットワークを介して接続されたユーザ端末から、ＶＰＮサービスの利用についての一時利用申込を受け付けるステップと、前記ＶＰＮ装置が、前記利用申込に基づいて、ユーザＩＤとユーザＩＤの有効期限の設定登録を行うとともに該ユーザ端末がＶＰＮを利用可能となるように自動設定を行うステップと、を含む設定処理工程が行われる。その後、前記ＶＰＮ装置が、ユーザ端末から、少なくともユーザＩＤの入力を受け付け認証した上で、ＶＰＮサービスを提供するＶＰＮサービス提供工程が行われる。そして、ＶＰＮ装置が、予め定める時間間隔で、各ユーザＩＤの有効期限を確認し、有効期限の切れたユーザＩＤについて設定されている内容を解除する設定解除工程が行われる。
【０００８】
また、本発明の第２の視点によれば、上記ＶＰＮサービスの提供方法を実施するためのＶＰＮシステム、ＶＰＮ装置、端末、及び、これらに搭載するプログラムが提供される。
【発明の効果】
【０００９】
本発明によれば、個人ユーザ、ＳＯＨＯでの利用はもちろんとして、ホテル、インターネットカフェ等からの利用にも好適なＶＰＮ環境を速やかに提供することが可能となる。
【発明を実施するための最良の形態】
【００１０】
続いて、本発明を実施するための最良の形態について、図面を参照して詳細に説明する。図１は、本発明の第１の実施形態に係るＶＰＮシステムの構成を表した図である。図１を参照すると、本発明の実施形態は、ユーザ端末１ａ、１ｂと、プロバイダ（ＩＳＰ）等によって設置されたＶＰＮ装置２と、ＩＰネットワーク３と、から構成され、ＩＰネットワーク３を介してユーザ端末１ａ、１ｂと、ＶＰＮ装置２はそれぞれ接続されている。
【００１１】
ユーザ端末１ａ、１ｂには、Ｗｅｂブラウザが搭載され、ＶＰＮ装置２のＶＰＮ利用申請コンテンツにアクセス可能となっている。また、ＶＰＮ装置２には、設定処理部、ＶＰＮサービス提供部、設定解除部を構成するプログラムが搭載され、プロバイダ（ＩＳＰ）等におけるユーザ情報を格納したユーザ情報データベースや認証サーバ（共に図示せず）に適宜照会を行って、ユーザ端末１ａ、１ｂに対するＶＰＮ環境の設定やＶＰＮサービスの提供が可能となっている。
【００１２】
図２は、本発明の第１の実施形態に係るＶＰＮ装置２の詳細構成を表した図である。図２を参照すると、ＶＰＮ装置２は、設定処理部２１０、ＶＰＮサービス提供部２２０、設定解除部２３０を備えて構成されている。
【００１３】
設定処理部２１０は、ＶＰＮ利用申請コンテンツによりユーザ端末１ａ、１ｂからＶＰＮサービスの利用についての一時利用申込を受け付ける申込受付部２１１と、後述するユーザ登録、期限付きＩＤの発行、ＶＰＮ環境の自動設定等を行う自動設定部２１２と、を備えている。
【００１４】
ＶＰＮサービス提供部２２０は、ユーザ端末１ａ、１ｂからユーザＩＤとパスワードの入力を求めて認証を行い、認証に成功したユーザ端末１ａ、１ｂに対してＶＰＮサービスを提供する。
【００１５】
設定解除部２３０は、後述する定例処理を所定の時間間隔毎に実行し、期限の切れたユーザＩＤについて設定されている内容を解除する処理を実行する。
【００１６】
続いて、図３のフローチャートを参照して、本実施形態の動作について説明する。まず、ＶＰＮ環境の提供を望むユーザはユーザ端末１ａ（１ｂ）において、ＳＳＬ（Ｓｅｃｕｒｅ  Ｓｏｃｋｅｔｓ  Ｌａｙｅｒ）通信等を用いて、ＶＰＮ装置２を設置したプロバイダ（ＩＳＰ）等によって与えられているユーザ情報（ユーザＩＤ、パスワード等）を送信する（ステップＳ１０１）。
【００１７】
ＶＰＮ装置２は、ユーザＩＤとパスワードの正当性を照会するとともに、ユーザ情報データベースを参照し、該当ユーザＩＤの付加サービスの設定状態を照会し、ユーザ端末１ａ（１ｂ）に送信する（ステップＳ２０１）。この回答内容がＶＰＮ利用設定済みであれば（ステップＳ１０２のＹｅｓ）、ユーザ端末には、ＶＰＮの利用画面が表示される（ステップＳ１０４）。
【００１８】
一方、ＶＰＮ利用設定がなされていない場合（ステップＳ１０２のＮｏ）は、ユーザ端末１ａ（１ｂ）には、ＶＰＮ装置２の申込受付部２１１よりＶＰＮ利用設定要求画面が表示され、ユーザは、利用希望期間、ユーザ（メンバ）数、複数メンバで利用する際の利用名称（グループ名）等を送信する（ステップＳ１０３）。ＶＰＮ装置２の申込受付部２１１は、これらの情報を受信すると、ＶＰＮ環境の自動設定処理を実行する（ステップＳ２０２）。この自動設定処理は、後に詳述する。
【００１９】
該当ユーザにてＶＰＮの利用設定が済んでいる場合は、ユーザ端末１ａ（１ｂ）において、ＶＰＮの設定状況、ユーザＩＤ、パスワード等の情報が表示され（ステップＳ１０４）、次いで、ユーザの操作に応じて、ＶＰＮサービスの利用が開始される（ステップＳ１０５）。
【００２０】
続いて、図４を参照して上述したステップ２０２におけるＶＰＮ装置２の詳細動作について説明する。まず、ＶＰＮ装置２の自動設定部２１２は、利用希望期間、複数メンバで利用する際の利用グループ名称等が指定されたＶＰＮ利用設定要求に基づいて、ユーザＩＤ等を生成し、ユーザ情報データベースに登録する（ステップＳ２０３）。ここで、ユーザが複数メンバでのＶＰＮ環境の利用を要求する場合には、自動設定部２１２は、指定グループ名にて複数メンバを関連付けておく。
【００２１】
続いて、ＶＰＮ装置２の自動設定部２１２は、ＶＰＮ環境の自動設定を実施するための設定情報を生成し（ステップＳ２０４）、この設定情報を用い、例えば、外部インタフェースを介したリモート設定機能を用いてＶＰＮを利用可能となるように自動設定を行う（ステップＳ２０５）。ここで、ユーザが複数メンバでのＶＰＮ環境の利用を要求する場合には、自動設定部２１２は、同一グループに属するユーザ端末（例えば、ユーザ端末１ａ）とＶＰＮ装置２間のＶＰＮトンネルを、他のユーザ端末（例えば、ユーザ端末１ｂ）とＶＰＮ装置２間のＶＰＮトンネルを対応付け、ＶＰＮ装置２を介して、両エンドポイント間を相互に接続できるよう自動設定処理を行う。
【００２２】
また、他にも設定すべきネットワーク環境がある場合は（ステップＳ２０６のＮｏ）、ＶＰＮ装置２の自動設定部２１２は、引き続き自動設定処理を繰り返し、設定がすべて完了したら（ステップＳ２０６のＹｅｓ）、作業を終了する。
【００２３】
続いて、図５を参照してＶＰＮ装置２で行われる定例処理について詳細に説明する。ＶＰＮ装置２の設定解除部２３０は、毎日、毎週などの利用希望期間の最小単位に基づき、各ユーザＩＤの利用期限が到来していないかどうかを確認する。まず、ユーザ情報データベースからデータを読み出し（ステップＳ３０１）、当該ユーザＩＤの利用期間が満了しているか否かを確認する（ステップＳ３０２）。読み出したデータの利用期間が満了していなければ、（ステップＳ３０２のＮｏ）、設定解除部２３０は、次のデータを読み出すべくステップＳ３０５に進む。一方、読み出したデータの利用期間が満了している場合は（ステップＳ３０２のＹｅｓ）、設定解除部２３０は、電子メール等の形態でその旨の通知をユーザ端末に発行し（ステップＳ３０３）、次いで、該当するユーザＩＤのＶＰＮ利用設定の削除処理を実行する（ステップＳ３０４）。
【００２４】
このようにして、ＶＰＮ装置２は所定時間間隔で、ユーザ情報データベースからデータを読み出し、利用期間の管理を行う。
【００２５】
以上のとおり本実施形態によれば、ＶＰＮ環境を自動的にかつ安全に設定することが可能となり、速やかなＶＰＮ環境の導入が実現される。より具体的には、利用ユーザ、利用希望期間、利用グループ名称を含む設定登録要求を入力・送信するだけでＶＰＮが利用可能となり、以後期限が到来するまで、ＶＰＮ装置２のＶＰＮサービス提供部２２０に対し、認証情報等を入力するだけで、ＶＰＮサービスが利用可能となる。
【００２６】
また、本実施の形態によれば、エンドポイント(例えば端末１ａ、１ｂ)間を直接エンドツーエンド接続するのではなく、ＶＰＮ装置２を挟んでＶＰＮトンネル同士を接続する構成を採っているため、エンドポイント(例えば端末１ａ、１ｂ)間の通信ログ等を蓄積することも可能となる。
【００２７】
続いて、ＶＰＮ装置２に課金機能を導入し、契約に基き、有償でＶＰＮ環境を所定期間提供するレンタル業務を可能とした本発明の第２の実施形態について説明する。以下、上記第１の実施形態と共通する部分は適宜省略して説明する。
【００２８】
図６は、本発明の第２の実施形態に係るＶＰＮ装置（レンタル処理装置）２の詳細構成を表した図である。図６を参照すると、本実施形態に係るＶＰＮ装置（レンタル処理装置）２は、設定処理部２１０、ＶＰＮサービス提供部２２０、設定解除部２３０に加えて、契約期間に基いた課金処理を行う課金処理部２４０を備えて構成されている。
【００２９】
続いて、図７のフローチャートを参照して、本実施形態の動作について説明する。まず、ＶＰＮ環境の提供を望むユーザはユーザ端末１ａ（１ｂ）において、ＳＳＬ（Ｓｅｃｕｒｅ  Ｓｏｃｋｅｔｓ  Ｌａｙｅｒ）通信等を用いて、ＶＰＮ装置（レンタル処理装置）２を設置したプロバイダ（ＩＳＰ）等によって与えられているユーザ情報（ユーザＩＤ、パスワード等）を送信する（ステップＳ４０１）。
【００３０】
ＶＰＮ装置（レンタル処理装置）２は、ユーザＩＤとパスワードの正当性を照会するとともに、ユーザ情報データベースを参照し、該当ユーザＩＤについてＶＰＮレンタル契約が交わされているか否かを照会し、ユーザ端末１ａ（１ｂ）に送信する（ステップＳ５０１）。この回答内容がレンタル契約済みであれば（ステップＳ４０２のＹｅｓ）、ユーザ端末には、ＶＰＮの利用画面が表示される（ステップＳ４０４）。
【００３１】
一方、契約済みでない場合（ステップＳ４０２のＮｏ）は、ユーザ端末１ａ（１ｂ）には、ＶＰＮ装置（レンタル処理装置）２の申込受付部２１１よりＶＰＮ契約内容登録画面が表示され、ユーザは、クレジット番号、引き落とし口座等の支払い情報、契約期間、複数メンバで利用する際の利用名称等を送信する（ステップＳ４０３）。なお、インターネットカフェやビジネスホテル等に設定された端末群を包括的に利用する場合等、利用者と契約者が異なる場合には、上記支払い情報に代えて契約者ＩＤ等を入力し請求を一元化するようにしてもよい。ＶＰＮ装置（レンタル処理装置）２の申込受付部２１１は、これらの情報を受信すると、ＶＰＮ環境の自動設定処理を実行する（ステップＳ５０２）。以降の処理は、上述した第１の実施形態と同様である。
【００３２】
続いて、図８を参照して上述したステップ５０２におけるＶＰＮ装置（レンタル処理装置）２の詳細動作について説明する。まず、ＶＰＮ装置（レンタル処理装置）２の自動設定部２１２は、契約期間、複数メンバで利用する際の利用グループ名称等が指定されたＶＰＮ契約内容に基づいて、ユーザ情報データベースに登録する（ステップＳ５０３）。
【００３３】
続いて、ＶＰＮ装置（レンタル処理装置）２の課金処理部２４０は、契約期間や利用するユーザ（メンバ）数に基いて課金処理を実行する（ステップＳ５０４）。ここで、不正なクレジット番号が送られる等サービスを提供できない場合は（ステップＳ５０５のＮｏ）、ユーザ情報データベースの内容を元に戻すとともに、ユーザ端末１ａ（１ｂ）に対して、その旨のメッセージを送信する（ステップＳ５０６）。
【００３４】
一方、課金処理が正常に終了した場合は（ステップＳ５０５のＹｅｓ）、ＶＰＮ装置２（レンタル処理装置）の自動設定部２１２に制御が渡され、ＶＰＮ環境の自動設定を実施するための設定情報の生成（ステップＳ５０７）、次いで自動設定が行われる（ステップＳ５０８）。
【００３５】
また、他にも設定すべきネットワーク環境がある場合は（ステップＳ５０９のＮｏ）、ＶＰＮ装置（レンタル処理装置）２の自動設定部２１２は、引き続き自動設定処理を繰り返し、設定がすべて完了したら（ステップＳ５０９のＹｅｓ）、作業を終了する。
【００３６】
また、ＶＰＮ装置（レンタル処理装置）２の設定解除部２４０は、上記した第１の実施形態同様、契約期間の最小単位に基づき毎日、毎週等のタイミングで、ユーザの契約が有効か否かの確認を行い、契約期間が満了したユーザＩＤのＶＰＮ設定を削除する処理を行う。
【００３７】
このように、本実施の形態によれば、第１の実施形態と比較して、ＶＰＮサービスの一時的な提供に対する対価を得ることができ、また、多くのビジネスユーザに対し、必要な期間に応じた低コストでＶＰＮ環境を提供することが可能になる。
【００３８】
以上本発明の第１、第２の実施形態を説明したが、これらは本発明の実施形態の理解を助けるために簡略化した構成を示したものであり、本発明の技術的範囲を限定するものではない。例えば、ＶＰＮ装置２を複数のサーバ装置で構成するなど、当業者がなしうる変形を加えうることはもちろんである。
【図面の簡単な説明】
【００３９】
【図１】本発明の第１の実施形態に係るシステム構成を表した図である。
【図２】本発明の第１の実施形態に係るＶＰＮ装置の詳細構成を表した図である。
【図３】本発明の第１の実施形態の動作を説明するためのフローチャートである。
【図４】本発明の第１の実施形態の動作を説明するためのフローチャートである。
【図５】本発明の第１の実施形態の動作を説明するためのフローチャートである。
【図６】本発明の第２の実施形態に係るＶＰＮ装置の詳細構成を表した図である。
【図７】本発明の第２の実施形態の動作を説明するためのフローチャートである。
【図８】本発明の第２の実施形態の動作を説明するためのフローチャートである。
【符号の説明】
【００４０】
１ａ、１ｂ  ユーザ端末
２  ＶＰＮ装置
３  ＩＰネットワーク
２１０  設定処理部
２１１  申込受付部
２１２  自動設定部
２２０  ＶＰＮサービス提供部
２３０  設定解除部
２４０  課金処理部
【図１】
2006246359.tif 000003
【図２】
2006246359.tif 000004
【図３】
2006246359.tif 000005
【図４】
2006246359.tif 000006
【図５】
2006246359.tif 000007
【図６】
2006246359.tif 000008
【図７】
2006246359.tif 000009
【図８】
2006246359.tif 000010